(57)【要約】  【課題】  ちらし等の広告印刷媒体に表した広告対象に関する詳細情報について、各ユーザにそれぞれ適した情報をタイムリに提供すること。  【解決手段】  各種サービスや商品などの広告対象に関する予定情報がサービスサーバ１０に入力される（Ｓ１、Ｓ１０）。一方で、広告対象に関する配信情報の取得に必要なアクセス情報２７と広告対象を表した画像２８とを記録した広告印刷媒体２６が一般ユーザに配布され、配布先でアクセス情報２７を携帯電話３０に入力すると（Ｓ６、Ｓ１１）、その携帯電話３０がサービスサーバ１０にアクセスし（Ｓ７、Ｓ１２）、広告印刷媒体２６上に画像として表された広告対象に関する現在日時以降の予定情報が検索されて携帯電話３０に配信され（Ｓ８、Ｓ１４）、その携帯電話３０で出力される、（Ｓ９、Ｓ１５）。例えば、映画公開前には映画の概略説明が出力され、映画公開後には最寄りの映画館での当日の上映時刻が出力される。【選択図】  図４
2005215178.tif 000002
【特許請求の範囲】
【請求項１】
ユーザ端末機とネットワークを介して通信を行い、ユーザに対する広告対象が表された広告印刷媒体上の該広告対象に関する情報を前記ユーザ端末機に配信するサービスサーバにおいて、
前記広告対象に関する予定情報が入力される入力手段と、
前記予定情報を各広告対象ごとに管理する管理手段と、
各広告対象ごとの前記予定情報の取得に必要なアクセス情報の記録された広告印刷媒体に基づいてユーザ端末機で入力されたアクセス情報を、該ユーザ端末機から受信する受信手段と、
前記アクセス情報およびアクセス情報受信時の現在日時に基づいて、該アクセス情報に対応する広告対象に関する現在日時以降の予定情報を検索して、該予定情報の含まれた配信情報を作成する配信情報作成手段と、
前記配信情報を前記ユーザ端末機に配信する配信手段と、
を備えたことを特徴とするサービスサーバ。
【請求項２】
前記広告対象は、娯楽施設、飲食施設、美容施設、治療施設、教授施設、訓練施設その他のユーザにサービスを提供する施設、商店その他のユーザに商品を提供する施設、これらの施設でユーザに提供されるサービスもしくは商品、または、サービスもしくは商品の提供者であり、
前記配信情報作成手段は、前記施設でのサービスまたは商品のユーザに対する提供時期を含む配信情報を作成することを特徴とする請求項１に記載のサービスサーバ。
【請求項３】
前記配信情報作成手段は、前記現在日時に基づいて、前記施設でのサービスまたは商品の提供開始前と提供開始以後とで配信情報の内容を切り換えることを特徴とする請求項２に記載のサービスサーバ。
【請求項４】
前記受信手段は、前記ユーザ端末機から該ユーザ端末機の現在位置を取得し、
前記配信情報作成手段は、前記現在位置に基づいて、該現在位置の近傍に位置する施設の予定情報を含む配信情報を作成することを特徴とする請求項２または３に記載のサービスサーバ。
【請求項５】
前記広告印刷媒体は、前記施設、前記サービス、前記商品または前記提供者を表す画像とともに、該画像に対応する予定情報を取得するためのアクセス情報が同一の用紙に記録されたものであり、
前記配信情報作成手段は、前記画像に対応する予定情報を含む配信情報を作成することを特徴とする請求項２ないし４の何れかに記載のサービスサーバ。
【請求項６】
ユーザに対する広告対象が表された広告印刷媒体上の該広告対象に関する情報を前記ユーザ端末機に配信する情報配信サービス方法において、
前記広告対象に関する予定情報を取得するステップと、
前記予定情報の取得に必要なアクセス情報の記録された広告印刷媒体に基づいてユーザ端末機で入力されたアクセス情報を、該ユーザ端末機から受信するステップと、
前記アクセス情報およびアクセス情報受信時の現在日時に基づいて、該アクセス情報に対応する広告対象に関する現在日時以降の予定情報を検索して、該予定情報の含まれた配信情報を作成するステップと、
前記配信情報を前記ユーザ端末機に配信するステップと、
を含むことを特徴とする情報配信サービス方法。
【発明の詳細な説明】
【技術分野】
【０００１】
本発明はサービスサーバおよび情報配信サービス方法に係り、特に、ちらし等の広告印刷媒体に表された広告対象に関する詳細情報を携帯電話等のユーザ端末機にネットワークを介して配信するサービスサーバおよび情報配信サービス方法に関する。
【背景技術】
【０００２】
一般に、広告印刷媒体としては、ちらし、タウン誌、ポスタ、看板等の様々なものが用いられている。これらの広告印刷媒体に掲載される広告対象も、娯楽、飲食、美容、治療、教育、スポーツ、および、商品に関するもの等、様々ある。
【０００３】
近年、インターネットや携帯電話を用いた広告方法も各種実施されている。例えば、インターネットのホームページに広告情報を公開するとともに当該ホームページにアクセスするためのＵＲＬ（Uniform Resource Locator）を本文に埋め込んだ電子メールを一般ユーザの携帯電話に送信する方法や、一般ユーザの携帯電話に着信しユーザからコールバックしたときに音声でユーザに対して広告情報を聞かせるようにした方法もある。しかし、これらの広告方法は、ユーザ側の都合と無関係に広告主から一方的に広告情報が与えられる等の理由によりユーザに迷惑を与え、したがって、ユーザに嫌悪感を抱かせてしまい、宣伝効果が上がらないばかりか逆効果となる場合がある。
【０００４】
ユーザに広告ができるだけ快く受け入れられるように、広告印刷媒体に割引チケットを付ける広告方法や、ポケットティッシュに広告印刷媒体を付して配布する等の広告方法も実施されている。
【０００５】
いわゆる写真プリントを利用した広告方法としては、広告情報を含むテンプレート画像を撮影画像に合成し、この合成画像を用紙に印刷して広告入り写真プリントを作成する方法も提案されている（特許文献１を参照）。この広告入り写真プリントを無償でユーザに配布すれば、ユーザに快く広告が受け入れられ、しかもユーザの注目を集めることができる。
【特許文献１】特開２００２−５１２０４号公報
【発明の開示】
【発明が解決しようとする課題】
【０００６】
ユーザの周囲には様々な広告情報が氾濫しており、各ユーザは、これらの様々な広告情報にふれる機会が多い一方で、その大部分を占める不要な情報に煩わされてしまい、そのユーザが興味を抱く広告対象について、その広告対象に関する情報の中からそのユーザにとって本当に有益な情報を取捨選択して取得することは、困難であるといえる。また、広告のスポンサにとって、氾濫した広告情報の中から、そのスポンサの広告に多数のユーザの注目を集め、かつ、各ユーザに対して本当に有益な情報を与えることは、困難であるといえる。
【０００７】
一般に、ユーザに対して広告対象に関する詳細情報を正確に伝えようとして、例えば広告印刷媒体に掲載する文字情報を多くし過ぎると、逆に目立たない広告になり、多数のユーザの注目を集めることが難しくなるとともに、各ユーザが自身にとって本当に有益な情報を雑多な情報の中から探し出すこともまた難しくなる。また、一般に、詳細情報を排除し、ユーザ全体に与えるイメージや見栄えの良さだけを重視すると、多数ユーザの注目を集めることはできたとしても、詳細情報がユーザに理解されないことになる。
【０００８】
特に、ユーザに提供されるサービスや商品が時間によって変化するような場合には、そのような変化による相違点までユーザに正確に伝えることは難しい。例えば、映画の広告において、大きなサイズのポスタや看板に、著名スターの画像や衝撃的な画像とともに「まもなく公開！」というメッセージを大きく印刷することにより、多数ユーザの注目を集めることは可能だが、詳細情報がタイムリでない場合には、そのような映画が上映されることまではユーザに認識されても、公開日以降に実際には何時何分から上映されてそのユーザはどこの映画館に行くのがよいか、ユーザは正確に認識することもなく、結局、その映画を観に行くことなく過ごしてしまうか、あるいは、その映画を実際に観に行く時点になって詳細情報の取得に苦労することにもなる。
【０００９】
また、レストランや商店等で、いわゆるタイムサービスを企画して、せっかく特別料金でサービスや商品の提供を実施しても、いつどこでタイムサービスを行うのか正確にユーザに伝わっていなければ、偶然にその場に居合わせたユーザが利用するだけで終わってしまい、宣伝効果が小さく実際には利益があまり得られないことになる。
【００１０】
また、薄利多売を図るのではなく、期間限定や地域限定等の数量が限定された高級サービスまたは高級商品の提供を企画する場合や、サービスまたは商品を提供する提供者の氏名や経歴等を公開して、提供者の知名度やその提供者への期待感でユーザの注目を集めたい場合がある。このような場合、そのサービスまたは商品の提供時期、提供場所、または、提供者に関する情報を適切にユーザに伝えたいという要求がある。
【００１１】
本発明はこのような事情に鑑みてなされたもので、ちらし等の各種の広告印刷媒体に表された各種の広告対象に関する詳細情報について、各ユーザにそれぞれ適した情報をタイムリに提供することができるサービスサーバおよび情報配信サービス方法を提供することを目的とする。
【課題を解決するための手段】
【００１２】
前記目的を達成するために、請求項１に記載の発明は、ユーザ端末機とネットワークを介して通信を行い、ユーザに対する広告対象が表された広告印刷媒体上の該広告対象に関する情報を前記ユーザ端末機に配信するサービスサーバにおいて、前記広告対象に関する予定情報が入力される入力手段と、前記予定情報を各広告対象ごとに管理する管理手段と、各広告対象ごとの前記予定情報の取得に必要なアクセス情報の記録された広告印刷媒体に基づいてユーザ端末機で入力されたアクセス情報を、該ユーザ端末機から受信する受信手段と、前記アクセス情報およびアクセス情報受信時の現在日時に基づいて、該アクセス情報に対応する広告対象に関する現在日時以降の予定情報を検索して、該予定情報の含まれた配信情報を作成する配信情報作成手段と、前記配信情報を前記ユーザ端末機に配信する配信手段を備えた構成となっている。
【００１３】
この構成によって、広告印刷媒体に記録された各広告対象ごとのアクセス情報を用いてユーザ端末機からサービスサーバにアクセスすると、広告印刷媒体に表された広告対象に関して、当該広告対象に関する現在日時以降の予定情報を含む配信情報がユーザ端末機に配信されてくるので、各ユーザは各広告対象に関する現在日時に適した情報をタイムリに知り得ることになる。
【００１４】
前記広告対象は、請求項２に記載したように、娯楽施設、飲食施設、美容施設、治療施設、教授施設、訓練施設その他のユーザにサービスを提供する施設、商店その他のユーザに商品を提供する施設、これらの施設でユーザに提供されるサービスもしくは商品、または、サービスもしくは商品の提供者であり、前記配信情報作成手段は、前記施設でのサービスまたは商品のユーザに対する提供時期を含む配信情報を作成する。
【００１５】
請求項３に記載の発明は、請求項２に記載の発明において、前記配信情報作成手段は、前記現在日時に基づいて、前記施設でのサービスまたは商品の提供開始前と提供開始以後とで配信情報の内容を切り換える構成となっている。
【００１６】
請求項４に記載の発明は、請求項２または３に記載の発明において、前記受信手段は、前記ユーザ端末機から該ユーザ端末機の現在位置を取得し、前記配信情報作成手段は、前記現在位置に基づいて、該現在位置の近傍に位置する施設の予定情報を含む配信情報を作成する構成となっている。
【００１７】
この構成によって、ユーザの現在位置の近傍に位置する施設の予定情報がユーザ端末機に配信されてくるので、各ユーザは各広告対象に関するユーザの現在位置に適した情報をタイムリに知り得ることになる。
【００１８】
請求項５に記載の発明は、請求項２ないし４の何れかに記載の発明において、前記広告印刷媒体は、前記施設、前記サービス、前記商品または前記提供者を表す画像とともに、該画像に対応する予定情報を取得するためのアクセス情報が同一の用紙に記録されたものであり、前記配信情報作成手段は、前記画像に対応する予定情報を含む配信情報を作成する構成となっている。
【００１９】
請求項６に記載の発明は、ユーザに対する広告対象が表された広告印刷媒体上の該広告対象に関する情報を前記ユーザ端末機に配信する情報配信サービス方法において、前記広告対象に関する予定情報を取得するステップと、前記予定情報の取得に必要なアクセス情報の記録された広告印刷媒体に基づいてユーザ端末機で入力されたアクセス情報を、該ユーザ端末機から受信するステップと、前記アクセス情報およびアクセス情報受信時の現在日時に基づいて、該アクセス情報に対応する広告対象に関する現在日時以降の予定情報を検索して、該予定情報の含まれた配信情報を作成するステップと、前記配信情報を前記ユーザ端末機に配信するステップを含む構成となっている。
【発明の効果】
【００２０】
本発明によれば、ちらし等の各種の広告印刷媒体に表された各種の広告対象に関する詳細情報について、各ユーザにそれぞれ適した情報をタイムリに提供することができる。
【発明を実施するための最良の形態】
【００２１】
以下、添付図面に従って本発明に係るサービスサーバおよび情報配信サービス方法を実施するための最良の実施の形態について、詳細に説明する。
【００２２】
図１は、本発明に係るサービスサーバを含むサービスシステムの例の全体構成図である。
【００２３】
図１において、主として、サービスサーバ１０、プリンタ２０、カメラ付き携帯電話（以下単に「携帯電話」という）３０、４０、および、パーソナルコンピュータからなる情報入力端末５０が、それぞれネットワーク６０に接続されて、本実施形態のサービスシステムが構成されている。なお、図１では、情報配信先である一般ユーザの携帯電話３０と、サービス提供者又は商品提供者が情報入力に用いる提供者の携帯電話４０とを区別して、符号を付してある。
【００２４】
サービスサーバ１０は、プリンタ２０、携帯電話３０、４０、情報入力端末５０とネットワーク６０を介して通信し、ちらし等の広告印刷媒体をプリンタ２０に作成させる広告印刷媒体の作成処理や、広告印刷媒体上に表された広告対象に関する配信情報を一般ユーザの携帯電話３０に配信する情報配信処理等、各種サービス処理を行うものである。
【００２５】
プリンタ２０は、広告対象が表された広告印刷媒体を作成するものである。なお、プリンタ２０は、図１ではサービスサーバ１０とネットワーク６０を介して接続されているが、このような例に特に限定されず、例えばプリンタ２０とサービスサーバ１０とが一体で形成されていてもよい。
【００２６】
携帯電話３０、４０は、被写体の撮影が可能なカメラ（図示を省略）が設けられており、このカメラは、本実施形態において、ＱＲコード（登録商標）等の２次元バーコードの入力に用いられる。また、携帯電話３０、４０は、カメラにより入力された２次元バーコードをデコードしてサービスサーバ１０にネットワーク６０を介してアクセスし、広告対象に関する配信情報をサービスサーバ１０から取得する。
【００２７】
情報入力端末５０は、広告対象に関する情報をサービスサーバ１０に入力する端末であり、主として、広告対象ごとの予定情報の入力操作が行われる。
【００２８】
ここで、広告対象は、ユーザにサービスを提供する施設、この施設でユーザに提供されるサービス、このサービスをユーザに直接的に提供する提供者（接客対応者）、ユーザに商品を提供する施設、この施設でユーザに提供される商品、この商品を実際に製造する提供者（製造者）が含まれる。
【００２９】
例えば、映画館、レストラン、美容院、整体院、外国語会話教室、料理教室、スポーツクラブ、デパート、スーパーマーケット等の施設が、広告対象に含まれる。また、これらの施設でユーザに提供される各種サービス、例えば、映画の上映、飲食物の提供、ヘアーカット、整体の施術、外国語の教授、料理の指導、スポーツの指導等や、各種商品、例えば、食品、衣類等が、広告対象に含まれる。
【００３０】
また、料理人、美容師、整体師、外国語講師、料理の先生、スポーツのインストラクタといった実際の接客対応者が広告対象や、各商品を実演販売する人、各商品の第１次生産者等が、広告対象に含まれる。すなわち、実際の接客対応者や実際の商品の製造者に対する知名度や期待感により、「あの人からサービスを受けたい」とか、「あの人が作った商品を買いたい」というニーズを刺激して、集客を図る場合がある。
【００３１】
広告印刷媒体は、ちらし、タウン誌、その他の広告対象が表された印刷媒体である。なお、ユーザの目をひきつけるには画像が効果的であり、広告対象を表す静止画像が印刷されているとよい。また、デジタルカメラやカメラ付き携帯電話の普及に伴い、専門のカメラマンに頼らず、各スポンサが自身で撮影した静止画像を広告印刷媒体や配信情報に載せたいという要求がある。そこで、施設等に設置した情報入力端末５０や提供者の携帯電話４０からサービスサーバ１０に画像やその付加情報（音情報、テキスト情報、動画像等）を送信して、この画像および付加情報を、広告印刷媒体や配信情報に含めることができるようになっている。なお、広告対象を静止画像で広告印刷媒体上に表す場合に限らず、文字のみで広告印刷媒体上に表す場合にも本発明は適用される。また、広告印刷媒体の枚数（１枚であるか、あるいは、冊子のように複数枚からなるか）、および、サイズ（例えば、Ａ４サイズ、葉書サイズ、標準の写真サイズ、名刺サイズ等）は、特には限定されない。
【００３２】
配信情報には、各広告対象ごとの予定情報が含まれる。この予定情報は、具体的には、施設でユーザに提供される各サービスごとまたは各商品ごとの提供時期および提供場所が含まれる。また、各提供者ごとのサービスまたは商品の提供時期が含まれる。
【００３３】
本実施形態では、一般ユーザが携帯電話３０によりアクセスした現在日時以降に提供可能なサービスまたは商品について、提供時期および提供場所を知らせる配信情報を作成する。また、本実施形態では、ユーザの現在位置、実際には、一般ユーザの携帯電話３０の現在位置の近傍に位置する施設の場所を知らせる配信情報を作成する。
【００３４】
図２は、本実施形態のサービスサーバ１０の概念的な構成を示すブロック図である。
【００３５】
図２において、サービスサーバ１０は、主として、画像・付加情報入力手段１０ａ、予定情報入力手段１０ｂ、プリント指定情報入力手段１０ｃ、配信情報作成条件入力手段１０ｄ、アクセス情報発行手段１０ｅ、プリント指示手段１０ｆ、登録手段１０ｇ、アクセス情報受信手段１０ｈ、配信情報作成手段１０ｉ、配信手段１０ｊ、および、データベース１０ｋを含み構成されている。
【００３６】
画像・付加情報入力手段１０ａは、広告印刷媒体に印刷する静止画像、および、その静止画像の付加情報が入力されるものである。図１に示すサービスシステムでは、第１に、施設等に設置した情報入力端末５０から受信する態様と、第２に、提供者の携帯電話４０から受信する態様とがある。なお、画像および付加情報の入力態様は、このような態様に特に限定されず、ほかに、データベース１０ｋに予め保管されている画像および付加情報を選択的に読み込む態様や、ＤＶＤ（digital Video Disk）−ＲＯＭ等のリムーバブルな記録メディアから読み込む態様を含む。
【００３７】
広告印刷媒体に印刷する画像としては、例えば、広告対象が施設の場合には、その施設を被写体として撮影して得た静止画像がある。また、広告対象がサービスの場合には、そのサービスを施している様子を撮影して得た静止画像がある。また、広告対象が商品の場合には、その商品を被写体として撮影して得た静止画像がある。また、広告対象が提供者の場合には、その提供者を被写体として撮影して得た静止画像がある。
【００３８】
付加情報としては、広告印刷媒体に印刷する静止画像に対して付加される情報であって、用途としては、第１に、静止画像とともに広告印刷媒体に記録する用途と、第２に、配信情報に含めて携帯電話３０に配信する用途がある。広告印刷媒体に記録する付加情報としては、例えば、広告対象についての紹介文からなるテキスト情報等がある。また、配信情報に含める付加情報としては、例えば、音声情報、テキスト情報、動画像、ベクターグラフィックスのアニメーションからなるマルチメディアコンテンツ等がある。
【００３９】
予定情報入力手段１０ｂは、広告対象に関する予定情報が各広告対象ごとに入力されるものである。図１に示す本サービスシステムでは、第１に、施設等に設置した情報入力端末５０から受信する態様と、第２に、提供者の携帯電話４０から受信する態様がある。
【００４０】
広告対象の予定情報としては、各施設の利用可能日や各施設の場所が含まれる。例えば、各映画館の上映予定がある。また、各施設で提供する各サービスごとのサービス提供時期や、各施設で提供する各商品ごとの商品提供時期がある。例えば、タイムサービスを行う時間帯や、対象サービスまたは対象商品がある。また、実際に接客してユーザに直接的にサービスを提供する各サービス提供者ごとの勤務予定や、実際に商品を製造する各商品提供者ごとの勤務予定がある。例えば、何曜日の何時から何時まで勤務しているか等の個人の予定情報である。
【００４１】
プリント指定情報入力手段１０ｃは、広告印刷媒体の印刷態様を示すプリント指定情報が入力されるものである。プリント指定情報としては、プリント枚数、プリント種（用紙サイズ等）がある。図１に示すサービスシステムでは、第１に、施設等に設置した情報入力端末５０から受信する態様と、第２に、提供者の携帯電話４０から受信する態様とがある。
【００４２】
配信情報作成条件入力手段１０ｄは、一般ユーザの携帯電話３０に配信する配信情報を作成する際の作成条件が入力されるものである。本実施形態では、サービスまたは商品の提供の開始前に配信情報に含める内容と、サービスまたは商品の提供の開始以後に配信情報に含める内容とを切り替える。例えば、広告対象が特定の映画の上映である場合、該当する映画の公開前には、その公開する映画の概略内容や全国の一斉公開日等を示す配信情報を作成し、該当する映画の公開以後には、ユーザの現在位置（すなわち一般ユーザの携帯電話３０の現在位置）に最も近い映画館について、一般ユーザの携帯電話３０からアクセスした当日のアクセス時刻以降の上映時間を含む配信情報を作成する、という作成条件が入力される。
【００４３】
アクセス情報発行手段１０ｅは、広告印刷媒体をプリンタ２０に作成させるときに、一般ユーザの携帯電話３０からネットワーク６０を介して予定情報を含む配信情報を取得するためのアクセス情報を各、広告対象ごとに発行するものである。
【００４４】
アクセス情報としては、例えば、ＵＲＬがあり、このＵＲＬには、配信情報の取得に必要な通信プロトコル、サービスサーバ１０のドメイン名、および、広告対象を特定するための情報、を含む。なお、アクセス情報は、ＵＲＬに特に限定されず、各広告対象を特定可能な他のアクセス情報、例えば広告対象の識別情報を含むアクセス情報等を用いてもよい。
【００４５】
プリント指示手段１０ｆは、画像・付加情報入力手段１０ａに入力された静止画像、および、アクセス情報発行手段１０ｅによって発行されたアクセス情報を含む印刷データをプリンタ２０に送信するとともに、プリント指定情報入力手段１０ｄに入力されたプリント指定情報に基づいて広告印刷媒体を作成するようにプリンタ２０に指示を与えるものである。この指示によって、プリンタ２０は、広告対象を表した静止画像と各広告対象のアクセス情報を視覚的または位置的に対応付けて同一の用紙に記録する。
【００４６】
登録手段１０ｇは、画像、その付加情報、プリント指定情報、予定情報、および、配信情報作成条件を、各広告対象ごとに、データベース１０ｋに登録するものである。これらの、画像、その付加情報、プリント指定情報、予定情報、および、配信情報作成条件は、後述のアクセス情報発行手段１０ｈによって発行されたアクセス情報と関連付けられてデータベース１０ｋに登録される。
【００４７】
なお、予定情報入力手段１０ｂに、各広告対象について追加の予定情報が入力されたときには、各広告対象ごとに、既に入力済みの予定情報と対応つけて、データベース１０ｋに登録する。また、予定情報入力手段１０ｂに、各広告対象について予定情報の変更内容が入力されたときには、各広告対象ごとに、既に入力済みの予定情報に変更後の予定情報を上書きするか、あるいは、既に入力済みの予定情報と対応つけて、データベース１０ｋに登録する。
【００４８】
アクセス情報受信手段１０ｈは、一般ユーザの携帯電話３０で広告印刷媒体上のアクセス情報が入力されたとき、その携帯電話３０等からアクセス情報を受信するものである。
【００４９】
配信情報作成手段１０ｉは、一般ユーザの携帯電話３０から受信したアクセス情報、および、アクセス情報受信時の現在日時に基づいて、そのアクセス情報に対応する広告対象についてその現在日時以降の予定情報をデータベース１０ｋから検索し、検索した予定情報の含まれた配信情報を作成するものである。また、一般ユーザの携帯電話３０の現在位置を検出したときには、この現在位置（ユーザの現在位置を示す）に基づいて、その現在位置に関連する予定情報をデータベース１０ｋから検索し、検索した予定情報の含まれた配信情報を作成する。
【００５０】
配信手段１０ｊは、配信情報作成手段１０ｉによって作成された配信情報を一般ユーザの携帯電話３０に配信するものである。
【００５１】
データベース１０ｋは、画像、その付加情報、予定情報、プリント指定情報、配信情報作成条件等をアクセス情報と対応付けて保管するものである。なお、画像、その付加情報、予定情報、プリント指定情報、および、配信情報作成条件は、各スポンサごとにグループ化して管理する。
【００５２】
図３は、サービスサーバ１０の内部構成の具体例を示すブロック図である。図３において、サービスサーバ１０は、主として、携帯電話３０、４０および情報入力端末５０とネットワーク６０を介して通信する通信部１１、ＣＰＵ（central Processing Unit）からなる制御部１２、画像・付加情報データベース１３、スポンサ情報データベース１４、ユーザ情報データベース１５、課金情報データベース１６、地図情報データベース１７、カレンダデータベース１８、および、素材データベース１９を含んで構成される。なお、各データベース１３ないし１９は、サービスサーバ１０の筐体内に含まれている必要はなく、例えば、サービスサーバ１０の遠隔に設置されて、図１のネットワーク６０を介してサービスサーバ１０と接続されていてもよい。
【００５３】
通信部１１は、図１の情報入力端末５０や提供者の携帯電話４０から、ネットワーク６０を介して、画像、その付加情報、予定情報、プリント指定情報、および、配信情報作成条件を受信するようになっている。また、通信部１１は、ＨＴＴＰ（Hypertext Transfer Protocol）により一般ユーザの携帯電話３０と通信可能であり、一般ユーザの携帯電話３０からネットワーク６０を介してアクセス情報を受信するとともに、一般ユーザの携帯電話３０に対してアクセス情報に対応する配信情報を送信するようになっている。
【００５４】
画像・付加情報データベース１３は、各広告対象ごとに、画像およびその付加情報を管理する。スポンサ情報データベース１４は、各広告対象ごとの予定情報、その他のスポンサに関する情報を管理する。ユーザ情報データベース１５は、アクセス回数その他の一般ユーザに関する情報を管理する。課金情報データベース１６は、プリント指定情報、その他のスポンサへの課金に関する情報を管理する。地図情報データベース１７は、地図情報、特に各施設および各施設周辺の地図情報を管理する。カレンダデータベース１８は、年、月、日、曜日、祝日等のカレンダ情報を管理する。素材データベース１９は、広告印刷媒体に印刷する印刷データの素材、および、配信情報の素材を管理する。
【００５５】
図３に例示した具体例のサービスサーバ１０の構成要素と図２に示した概念的構成のサービスサーバ１０の構成要素との対応関係を簡単に説明すると、画像・付加情報入力手段１０ａ、予定情報入力手段１０ｂ、プリント指定情報入力手段１０ｃ、配信情報作成条件入力手段１０ｄおよびアクセス情報受信手段１０ｈは主として通信部１１によって構成され、配信手段１０ｊは主として通信部１１および制御部１２によって構成され、アクセス情報発行手段１０ｅ、プリント指示手段１０ｆ、登録手段１０ｇおよび配信情報作成手段１０ｉは主として制御部１２によって構成されている。
【００５６】
以上説明した情報配信サービスシステムにおける具体的な処理の流れについて、主として図４を用いて説明する。
【００５７】
スポンサ（広告主）は、まず、広告印刷媒体を作成するための情報と、サービスまたは商品の提供開始前に配信する初期の配信情報を作成するための情報とを、サービスサーバ１０に入力する（Ｓ１）。
【００５８】
広告印刷媒体を作成するための情報としては、広告印刷媒体に印刷する静止画像、および、広告印刷媒体の印刷態様を示すプリント指定情報を含む。例えば、映画上映の宣伝目的であれば、その映画に出演する著名スターや映画のタイトルを表した静止画像、および、どのサイズの用紙にどのようなレイアウトで何枚印刷するかを示すプリント指定情報である。
【００５９】
初期の配信情報を作成するための情報としては、ユーザに提供するサービスまたは商品の概略説明を示す詳細情報等がある。例えば、映画上映の宣伝目的であれば、映画の概略内容（出演者、物語のあらすじなど）を説明したテキスト情報、および、映画の予告編としての動画像がある。また、初期の配信情報そのものが入力されてもよい。
【００６０】
また、初期の予定情報がサービスサーバ１０に入力される。例えば、映画上映の宣伝目的であれば、その映画を上映する各映画館の名称、場所、問い合わせ先の電話番号や、その映画の全国一斉封切り日である。なお、既にデータベース１０ｋに登録済みの予定情報については入力しなくてもよい。
【００６１】
また、配信情報作成条件が、サービスサーバ１０に入力される。例えば、広告対象が特定の映画の上映である場合、該当する映画の公開前には、その公開する映画の概略内容や映画の予告編としての動画像を含む配信情報を作成し、該当する映画の公開以後には、ユーザの現在位置（すなわち一般ユーザの携帯電話３０の現在位置）に最も近い映画館について、一般ユーザの携帯電話３０からアクセスした当日のアクセス時刻以降の上映時間を含む配信情報を作成する、という作成条件が入力される。
【００６２】
これらの広告印刷媒体作成用の情報や初期の配信情報作成用の情報についてのサービスサーバ１０への入力は、施設側に設置した情報入力端末５０から入力する場合や、提供者が所持する携帯電話４０から入力する場合がある。
【００６３】
入力された画像、その付加情報（テキスト情報、動画像など）、予定情報、プリント指定情報、および、配信情報作成条件は、各広告対象ごとに、データベース１０ｋで管理される。また、初期の配信情報については、配信情報作成条件に基づいて予め作成し、データベース１０ｋに登録する。なお、初期の配信情報そのものがサービスサーバ１０に入力されていた場合には作成の必要はなく、そのままデータベース１０ｋに登録する。
【００６４】
また、サービスサーバ１０は、一般ユーザの携帯電話３０がサービスサーバ１０から予定情報を含む配信情報を取得するために必要なアクセス情報を、各広告対象ごとに、発行する（Ｓ２）。発行されたアクセス情報は、画像、その付加情報、予定情報、プリント指定情報、配信情報作成条件、および、初期の配信情報と関連付けられて、データベース１０ｋで管理される。
【００６５】
そして、広告印刷媒体に印刷する静止画像、プリント指定情報およびアクセス情報が、サービスサーバ１０からプリンタ２０に送信される（Ｓ３）。ここで、アクセス情報は、サービスサーバ１０側で２次元バーコードにエンコードしてプリンタ２０に送るようにしてもよいし、プリンタ２０側で２次元バーコードにエンコードしてもよい。
【００６６】
プリンタ２０は、サービスサーバ１０から受信した画像、プリント指定情報およびアクセス情報に基づいて、広告印刷媒体２６を作成する（Ｓ４）。ここで、アクセス情報が、２次元バーコード２７として、画像２８とともに同一の用紙に印刷される。
【００６７】
図５に示す広告印刷媒体２６は、映画上映の宣伝用であり、その映画に出演する著名スターや映画のタイトル等を表した静止画像２８とともに、アクセス情報を示す２次元バーコード２７が印刷されている。
【００６８】
プリンタにより作成された広告印刷媒体２６は、プリント注文したスポンサに直接渡されるか、あるいは、プリント注文したスポンサの指定に従って所定の配送先に配送される。そして、広告印刷媒体２６が、広く一般ユーザに配布される。
【００６９】
まず、サービスまたは商品の提供開始前における情報配信について説明する。
【００７０】
広告印刷媒体２６の配布先の一般ユーザは、その携帯電話３０をアクセス情報の読取モードにして、携帯電話３０に広告印刷媒体２６上の２次元バーコード２７を読み取らせる（Ｓ６）。この２次元バーコード２７が携帯電話３０でデコードされて、このデコードされたアクセス情報を使用して携帯電話３０がサービスサーバ１０にアクセスすると（Ｓ７）、サービスサーバ１０は、このアクセス情報に対応する広告対象を特定するとともに、この広告対象に対応する初期の配信情報をデータベース１０ｋから取得して、一般ユーザの携帯電話３０に配信する（Ｓ８）。
【００７１】
図６は映画宣伝用の情報配信例を示しており、その映画の「公開前」に、広告印刷媒体２６上の２次元バーコード２７を携帯電話３０に読み取らせて携帯電話３０がサービスサーバ１０にアクセスすると、映画の概略説明を示すテキスト情報（「Ｘ、Ｙ主演、…いよいよ５月から全国一斉公開…」）および映画の予告編としての動画像を含む初期の配信情報３０２が一般ユーザの携帯電話３０に配信される。
【００７２】
サービスサーバ１０から携帯電話３０に配信された初期の配信情報は、その携帯電話３０で出力される（Ｓ９）。なお、携帯電話３０の画面は一般に小さいので、概略説明文は、テロップで表示されるようにサービスサーバ１０で作成してもよいし、動画像の再生前または再生後に表示されるようにサービスサーバ１０で作成してもよい。
【００７３】
ところで、ユーザにサービスまたは商品を提供する実際の各施設では、一般に、実施の提供開始日が近づいてから詳細な日程が決定する。また、サービスまたは商品の提供が開始された後に予定情報の追加や変更が生じる。具体的には、サービスまたは商品の提供時間、提供場所、提供者等の変更がある。例えば、映画上映のスケジュールであれば、各映画館での公開が近づいてから詳細なスケジュールが決定する。また、祝日の前日や土曜日には平日とは異なるスケジュール（オールナイト上映等）が決定されることがある。また、各映画館での公開後に、上映終了日が延長したり、上映終了日が前倒しとなることがある。
【００７４】
このような予定情報の追加または変更の内容が、サービスサーバ１０に入力される（Ｓ１０）。具体的には、施設に設置した情報入力端末５０または提供者の携帯電話４０から、予定情報の追加および変更内容が、ネットワーク６０を介して、サービスサーバ１０に送信される。サービスサーバ１０では、予定情報の追加および変更内容を、各広告対象ごとに、アクセス情報と関連付けて、データベース１０ｋに登録する。
【００７５】
次に、サービスまたは商品の提供開始以後の情報配信について説明する。
【００７６】
広告印刷媒体２６の配布先ユーザは、そのユーザの所持する携帯電話３０をアクセス情報の読取モードにして、携帯電話３０に広告印刷媒体２６上の２次元バーコード２７を読み取らせる（Ｓ１１）。この２次元バーコード２７が携帯電話３０でデコードされて、このデコードされたアクセス情報を使用して携帯電話３０がサービスサーバ１０にアクセスすると（Ｓ１２）、サービスサーバ１０は、このアクセス情報に対応する広告対象を特定するとともに、この広告対象に関する最新の予定情報をデータベース１０ｋから取得して、この最新の予定情報を含む配信情報を作成する（Ｓ１３）。
【００７７】
なお、携帯電話３０がＧＰＳ（Global Positioning System）機能により現在位置を取得可能な場合には、その携帯電話３０の現在位置（すなわちユーザの現在位置）を示す位置情報が、アクセス情報とともに、携帯電話３０からサービスサーバ１０に送信される。ほかに、携帯電話３０でユーザが現在位置の入力操作を行う方法や、携帯電話３０と直接通信する基地局（図示を省略）が携帯電話３０の現在位置を検出する方法もある。サービスサーバ１０は、現在位置の近傍に位置する施設の予定情報であって、現在日時以降の予定情報を、データベース１０ｋから検索し、この検索した予定情報を含む配信情報を作成する。作成された配信情報は、サービスサーバ１０から携帯電話３０に配信される（Ｓ１４）。
【００７８】
図６は映画宣伝用の情報配信例を示しており、その映画の「公開後」に、広告印刷媒体２６上の２次元バーコード２７を携帯電話３０に読み取らせて、その携帯電話３０がサービスサーバ１０にアクセスすると、携帯電話３０の現在位置に最も近い映画館（例えば「第１シネマ」）の位置、および、該当映画のその当日の上映時間、を示す配信情報３０４が携帯電話３０に配信されて、その携帯電話３０で出力される（Ｓ１５）。例えば、現在時刻以降のその当日の上映時間として、１０時２５分から１２時４０分までと、１３時００分から１５時２０分までが表示される。なお、現在位置から映画館に到着するまでに必要な時間を算出して、映画館への到着時刻以降の上映時間を表示させるようしてもよい。
【００７９】
なお、アクセス情報は、２次元バーコードとしてプリント媒体に印刷する場合に限らず、不可視の状態でプリン媒体内に埋め込むようにしてもよい。
【００８０】
また、アクセス情報は、用紙に形成されたＩＣタグに書き込むようにしてもよい。この場合、プリンタ２０には、ＩＣタグにアクセス情報を書き込むための書込手段を設ける。また、携帯電話３０には、ＩＣタグからアクセス情報を読み込むための読込手段が設けられる。
【００８１】
また、ユーザ端末機は、携帯電話に限るものではなく、例えばＰＤＡ（Personal Digital Assistants）であってもよい。
【００８２】
その他、本発明は、図で示した例や実施形態として説明した例に限定されるものではなく、本発明の要旨に従って適宜設計変更や改良を施して実施してよいことはもちろんである。
【図面の簡単な説明】
【００８３】
【図１】本発明に係る一実施形態のサービスサーバを含む情報配信サービスシステムの全体構成図
【図２】本発明に係る一実施形態のサービスサーバの概念的な内部構成の例を示すブロック図
【図３】本発明に係る一実施形態のサービスサーバの具体的な内部構成の例を示すブロック図
【図４】情報配信サービスの例の処理の流れを示す説明図
【図５】アクセス情報の印刷された広告印刷媒体の例を示す説明図
【図６】配信情報の例を示す説明図
【符号の説明】
【００８４】
１０…サービスサーバ、１０ａ…画像・付加情報入力手段、１０ｂ…予定情報入力手段、１０ｃ…プリント指定情報入力手段、１０ｄ…配信情報作成条件入力手段、１０ｅ…アクセス情報発行手段、１０ｆ…プリント指示手段、１０ｇ…登録手段、１０ｈ…アクセス情報受信手段、１０ｉ…配信情報作成手段、１０ｊ…配信手段、１０ｋ…データベース、１１…通信部、１２…制御部、２０…プリンタ、３０…一般ユーザの携帯電話（ユーザ端末機）、４０…提供者の携帯電話、５０…情報入力端末、６０…ネットワーク
【図１】
2005215178.tif 000003
【図２】
2005215178.tif 000004
【図３】
2005215178.tif 000005
【図４】
2005215178.tif 000006
【図５】
2005215178.tif 000007
【図６】
2005215178.tif 000008